(57)【要約】【課題】  横方向の寸法を抑え、コンパクト化を図る。【解決手段】  受入部１３に投入された被分別物１４（破砕された合成樹脂）を送出口１５側へ送り出す送り機構４の真下に風力分別機構部１６を設け、送出口１５から落下する被分別物１４に対して、吸気用ファン１８による風を風向板１９を介して矢印Ａ２方向へ吹き付けることにより、被分別物１４を分別する構成とする。送り機構４と風力分別機構部１６とが上下に重なるように配置できるから、横方向に長くなることを抑えることができ、コンパクト化を図ることができる。【選択図】  図１
2005074391.tif 000002
【特許請求の範囲】
【請求項１】
被分別物を受け入れる受入部と、
この受入部にて受け入れられた被分別物を、前記受入部から横方向に離れた送出口へ向けて送る送り機構と、
この送り機構のほぼ真下に設けられ、前記送出口から送り出された被分別物に対して風を、前記送り機構による送り方向とはほぼ反対方向から吹き当てて、その風により前記被分別物を分別する風力分別機構部と、
この風力分別機構部にて分別された分別物を収容する分別物収容部とを具備したことを特徴とする風力分別装置。
【請求項２】
被分別物は合成樹脂であることを特徴とする請求項１記載の風力分別装置。
【請求項３】
送り機構は、筒状のケーシングと、このケーシング内に回転可能に配設され回転に伴い被分別物を送るスクリューとを有するスクリューコンベアにて構成されていることを特徴とする請求項１または２記載の風力分別装置。
【請求項４】
送り機構におけるケーシング及びスクリューの少なくとも被分別物と接触する部分は導電性を有する構成であることを特徴とする請求項３記載の風力分別装置。
【請求項５】
風力分別機構部に、風の向きを変えることが可能な風向板を設けたことを特徴とする請求項１ないし４のいずれかに記載の風力分別装置。
【請求項６】
風力分別機構部に、粉塵を吸引除去する集塵手段を設けたことを特徴とする請求項１ないし５のいずれかに記載の風力分別装置。
【請求項７】
風力分別機構部の周りに、分別物収容部を囲うように遮蔽部を設けたことを特徴とする請求項１ないし６のいずれかに記載の風力分別装置。
【請求項８】
遮蔽部は柔軟性を有していることを特徴とする請求項７記載の風力分別装置。
【請求項９】
分別物収容部はキャスター付きであることを特徴とする請求項１ないし８のいずれかに記載の風力分別装置。
【請求項１０】
分別物収容部の帯電を防止する帯電防止手段を設けたことを特徴とする請求項１ないし９のいずれかに記載の風力分別装置。
【発明の詳細な説明】
【技術分野】
【０００１】
本発明は、被分別物を風力によって分別する構成の風力分別装置に関する。
【背景技術】
【０００２】
この種の風力分別装置としては、次のような構成のものが知られている。すなわち、被分別物であるごみを、ベルトコンベヤからなる送り機構（投入コンベヤ）により風力分別部に供給する。送り機構の送出口となる終端部の下方には、多数のノズルを有するノズルヘッダーが設けられていて、送り機構により送られて落下する被分別物に対して各ノズルから斜め上向きに風を吹き当てることにより、被分別物を重量物と、中重量物と、軽量物とに分別する構成となっている（例えば、特許文献１参照）。
【特許文献１】特開平８−３０９２８６号公報（図１）
【発明の開示】
【発明が解決しようとする課題】
【０００３】
上記した特許文献１の構成のものでは、送り機構による送り方向と、風力分別部における各ノズルの風の吹き出し方向とがほぼ同方向であり、送り機構の前方に重量物、中重量物、及び軽量物用の各シュートが配置されている。このため、装置としては送り機構による送り方向（横方向）に長くなるため、装置が大型化するという問題があった。
本発明は、上記問題点を解決するためになされたもので、横方向に長くなることを抑えることができて、コンパクト化を図ることができる風力分別装置を提供することを目的とする。
【課題を解決するための手段】
【０００４】
上記目的を達成するために、請求項１の風力分別装置は、被分別物を受け入れる受入部と、この受入部にて受け入れられた被分別物を、前記受入部から横方向に離れた送出口へ向けて送る送り機構と、この送り機構のほぼ真下に設けられ、前記送出口から送り出された被分別物に対して風を、前記送り機構による送り方向とはほぼ反対方向から吹き当てて、その風により前記被分別物を分別する風力分別機構部と、この風力分別機構部にて分別された分別物を収容する分別物収容部とを具備したことを特徴とする。
【０００５】
この場合、送り機構は、筒状のケーシングと、このケーシング内に回転可能に配設され回転に伴い被分別物を送るスクリューとを有するスクリューコンベヤにて構成することが好ましい（請求項３の発明）。また、送り機構におけるケーシング及びスクリューの少なくとも被分別物と接触する部分は導電性を有する構成とすることが好ましい（請求項４の発明）。
【０００６】
風力分別機構部に、風の向きを変えることが可能な風向板を設けたり（請求項５の発明）、粉塵を吸引する集塵手段を設けたりすることも好ましい（請求項６の発明）。
また、風力分別機構部の周りに、分別物収容部を囲むように遮蔽部を設けることも好ましく（請求項７の発明）、その遮蔽部は柔軟性を有する構成とすると良い（請求項８の発明）。分別物収容部はキャスター付きとすることが好ましい（請求項９の発明）。また、分別物収容部の帯電を防止する帯電防止手段を設けることも好ましい（請求項１０の発明）。
【発明の効果】
【０００７】
請求項１の発明によれば、風力分別機構部を送り機構のほぼ真下に配置すると共に、風力分別機構部における風の吹き出し方向を、送り機構における送り方向とはほぼ反対方向としていて、送り機構と風力分別機構部とが上下に重なるように配置できるから、横方向に長くなることを抑えることができ、コンパクト化を図ることができる。
請求項３の発明によれば、送り機構をスクリューコンベヤにて構成していることにより、送り機構により被分別物を送出口へ向けて送る際に風力分別機構部による風の影響を受け難く、被分別物を送出口側へ良好に送ることができる。
【０００８】
ここで、被分別物をスクリューコンベヤにて送出口へ向けて送る際に、その被分別物が静電気を発生し易い合成樹脂であるような場合、静電気により被分別物同士が吸着し易くなり、送出口から送り出される被分別物の量にむらが発生し易い。このようになると、被分別物を風力にて分別する際に、分別不良が発生しやすくなる。
この点、請求項４の発明によれば、送り機構におけるケーシング及びスクリューの少なくとも被分別物と接触する部分は導電性を有する構成とすることにより、送り機構において静電気が発生したとしてもその静電気を外部へ逃がすことができ、被分別物同士が吸着しあうことを極力防止でき、被分別物を一定量ずつ安定して供給することが可能になり、よって、被分別物を風力にて分別する際に、分別を良好に行うことができるようになる。
【０００９】
請求項５の発明によれば、被分別物に対する風の向きを風向板により調整することにより、風により吹き飛ばされる被分別物の距離などを調整することができ、被分別物の分別度合を調整することが可能となる。
請求項６の発明によれば、風力分別機構部において発生する粉塵を集塵手段により吸引除去することにより、粉塵が分別物収容部に収容されたり、外部にそのまま放出されたりすることを防止できるようになる。
【００１０】
請求項７の発明によれば、風力分別機構部の周りに遮蔽部を設けることにより、風力分別機構部の密閉性を向上できると共に、外部から分別物収容部に異物が混入することを防止できる。
請求項８の発明によれば、遮蔽部が柔軟性を有することにより、分別物収容部を出し入れする際に、暖簾のように邪魔にならず、その出し入れがし易い。また、請求項９の発明によれば、分別物収容部をキャスター付きとすることにより、分別物収容部を移動させやすくなる。
【００１１】
請求項１０の発明によれば、分別物収容部内での静電気の発生を防止できるため、分別物収容部から分別物を出す際に分別物が静電気で分別物収容部に付着することを防止でき、作業性を向上できる。
【発明を実施するための最良の形態】
【００１２】
以下、本発明の一実施形態について図面を参照して説明する。
図１ないし図６において、フレーム１は、４本の支柱部２を有していて、図１、図３および図４において左右方向に長い矩形枠状に構成されている。フレーム１の上面は上面板３にて覆われていて、この上面板３の上部に送り機構４が配設されている。
送り機構４は、図１に示すようにスクリューコンベヤにて構成されていて、左右方向に延びる円筒状のケーシング５と、このケーシング５内に回転可能に配設され軸６の外周部にらせん状の送り羽根７を有したスクリュー８と、このスクリュー８を回転させるスクリュー用モータ９とを備えている。スクリュー用モータ９はケーシング５の左端部に配置され、スクリュー８の軸６の右端部は、ケーシング５から突出して軸受１０にて支持され、ケーシング５は、支持部１１を介して上面板３上に支持されている。ここで、この送り機構４におけるケーシング５とスクリュー８は、全体が例えば鉄にて構成されていて、導電性を有している。
【００１３】
ケーシング５の左部には上向きの接続口１２を有していて、この接続口１２に、じょうご状の受入部１３が接続されている。この受入部１３に、被分別物１４として、この場合、破砕された合成樹脂が投入される。受入部１３の下部には、受入部１３内に投入された被分別物の残量を確認するための残量確認窓１３ａが設けられている。
ケーシング５において、受入部１３から横方向へ離れた部位である右部の下部には下向きの送出口１５が設けられていて、この送出口１５が、上面板３の下方に連通している。上面板３は送り機構４の真下に位置していて、この送り機構４の真下に風力分別機構部１６が設けられている。上面板３の下方の空間を風力分別機構部１６の風力分別室１７としていて、この風力分別室１７は、上面及び周囲（前後および左右）が囲まれ、下部は開放されている。風力分別室１７の右側部には、吸気用ファン１８が配設されている。
【００１４】
風力分別室１７内において、送出口１５の右側に位置させて、風向板１９が配設されている。この風向板１９は、左上がりの傾斜状に設けられていて、吸気用ファン１８から風力分別室１７内に供給された風を、斜め上向きに案内する構成となっている。また、この風向板１９は、風力分別室１７の前面板１７ａの前面に設けられた操作部２０（図３参照）の操作により傾斜角度を変えることが可能となっている。前面板１７ａには、外部から風力分別室１７内を見ることができるように、透明な窓部２１が設けられている。
【００１５】
上記風力分別室１７の左部には、接続口２２を介して排気用ファン２３の吸気口２３ａが接続され、その排気用ファン２３の吐出口２３ｂが、集塵手段を構成するサイクロン集塵機２４の入口２４ａに接続されている。サイクロン集塵機２４の中央部には、上下両側が開口した円筒状の排気口２５が設けられている。サイクロン集塵機２４の下部の支持台２６には、矩形容器状をなす粉塵収容部２６ａが出し入れ可能に収容されている。
【００１６】
上記風力分別室１７の下方には、それぞれ矩形容器状をなす第１および第２の分別物収容部２７，２８が配置されている。このうち右側の第１の分別物収容部２７は、上記送出口１５の真下に位置し、左側の第２の分別物収容部２７は、その送出口１５の左下方に位置している。第１および第２の分別物収容部２７，２８の下面には、それぞれキャスター２９が設けられている。また、第１および第２の分別物収容部２７，２８は、導電性を有する材料にて構成されている。
【００１７】
上記風力分別室１７の下部における前部と後部には、図２に示すように、第１および第２の分別物収容部２７，２８内に入り込む第１の遮蔽部３０が設けられていると共に、これら第１および第２の分別物収容部２７，２８の外側に位置させて第２の遮蔽部３１が設けられている。従ってこの場合、第１の遮蔽部３０と第２の遮蔽部３１とは二重構造となっていて、このうち第２の遮蔽部３１が、第１および第２の分別物収容部２７，２８を囲うように位置している。この場合、第１および第２の遮蔽部３０，３１は、柔軟性を有すると共に導電性を有した導電シートにより構成されていて、暖簾のように取り付けられている。また、外側の第２の遮蔽部３１は、内側の第１の遮蔽部３０よりも上下方向の寸法が長くなっている。
【００１８】
上記フレーム１における後部側の２本の支柱２，２間には、第１および第２の分別物収容部２７，２８の後側に位置させて横板３２が掛け渡されている。この横板３２および支柱２も導電性を有する鉄にて構成されていて、支柱２がアース接続されている。ここで、第１および第２の分別物収容部２７，２８を横板３２に接触させておくことにより、仮に第１、第２の分別物収容部２７，２８において静電気が発生したとしても、その静電気は、横板３２、支柱２を通して地球に逃がされることになる。従って、これら第１、第２の分別物収容部２７，２８と、横板３２と、支柱２とにより、第１、第２の分別物収容部２７，２８が帯電することを防止する帯電防止手段を構成している。
【００１９】
次に上記構成の作用を説明する。
まず、第１および第２の分別物収容部２７，２８は、図１および図２に示すように風力分別室１７の下方に配置しておく。このとき、第１および第２の分別物収容部２７，２８は、フレーム１の後部の横板３２に接触させておく。
受入部１３には、この場合、被分別物１４として、破砕された合成樹脂が投入される。投入された被分別物１４は、スクリューコンベヤからなる送り機構４により図１の矢印Ａ１方向へ送られ、送出口１５から風力分別室１７内に落下する。このとき、送り機構４において、被分別物１４と接触するケーシング５およびスクリュー８は導電性を有する材料にて形成されているため、被分別物１４をスクリュー８にて送る際に静電気が発生したとしても、その静電気はスクリュー８およびケーシング５、フレーム１を介して外部に逃がされるようになる。このため、被分別物１４が静電気を発生し易い合成樹脂であっても、その被分別物１４が静電気により集まってしまうようなことを防止でき、被分別物１４を一定量ずつ送出口１５から安定して送り出すことができる。
【００２０】
そして、風力分別室１７において、吸気用ファン１８の送風作用により、風が風向板１９を介して図１の矢印Ａ２方向に吹き出され、送出口１５から落下する被分別物１４は、その風を受ける。被分別物１４のうち、大きさが例えば２ｍｍ以上の比較的大きな重量物は、矢印Ａ３で示すようにそのまま下方の第１の分別物収容部２７に落下して収容され、また大きさが２ｍｍ未満の比較的小さな軽量物は、矢印Ａ４で示すように左側に飛ばされ、第２の分別物収容部２８に落下して収容される。また、さらに細かくて浮遊するような粉塵は、矢印Ａ５で示すように排気用ファン２３側に吸引される。排気用ファン２３側に吸引された粉塵は、図４の矢印Ａ６で示すようにサイクロン集塵機２４に向けて吐出され、このサイクロン集塵機２４において落下し、粉塵収容部２６ａに収容される。粉塵が除去された空気は、排気口２５から外部に放出される。
【００２１】
第１の分別物収容部２７に収容された比較的大きな重量物は、リサイクル材として再利用され、第２の分別物収容部２８に収容された比較的小さな軽量物、および粉塵収容部２６ａに収容された粉塵は廃棄される。
上記した実施形態によれば、次のような効果を得ることができる。まず、風力分別機構部１６を送り機構４のほぼ真下に配置すると共に、風力分別機構部１６における風の吹き出し方向（矢印Ａ２参照）を、送り機構４における送り方向Ａ１とはほぼ反対方向としていて、送り機構４と風力分別機構部１６とが上下に重なるように配置できるから、横方向に長くなることを抑えることができ、コンパクト化を図ることができる。
【００２２】
送り機構４をスクリューコンベヤにて構成していることにより、送り機構４により被分別物１４を送出口１５へ向けて送る際に、風力分別機構部１６による風の影響を受け難く、被分別物１４を送出口１５側へ良好に送ることができる。
送り機構４において、被分別物１４と接触するケーシング５およびスクリュー８を導電性を有する構成とすることにより、送り機構４において静電気が発生したとしてもその静電気を外部へ逃がすことができ、被分別物１４同士が吸着しあうことを極力防止でき、被分別物１４を一定量ずつ安定して送出口１５側へ供給することが可能になり、よって、被分別物１４を風力分別機構部１６において風力にて分別する際に、分別を良好に行うことができるようになる。
【００２３】
風力分別機構部１６には風向板１９を設けていて、この風向板１９により被分別物１４に対する風の向きを調整することにより、風により吹き飛ばされる被分別物１４の距離などを調整することができ、被分別物１４の分別度合を調整することが可能となる。
風力分別機構部１６において発生する粉塵を、サイクロン集塵機２４により吸引除去することにより、粉塵が第１および第２の分別物収容部２７，２８に収容されたり、外部にそのまま放出されたりすることを防止できるようになる。
【００２４】
風力分別機構部１６の下部周りに第１および第２の遮蔽部３０，３１を設けることにより、風力分別機構部１６の密閉性を向上できると共に、外部から第１および第２の分別物収容部３０，３１に異物が混入することを防止できる。この場合、第１および第２の遮蔽部３０，３１により二重構造としているので、その効果を一層向上できる。
第１および第２の遮蔽部３０，３１は柔軟性を有するシートにより構成しているので、第１および第２の分別物収容部３０，３１を出し入れする際に、それら第１および第２の遮蔽部３０，３１が暖簾のように邪魔にならず、出し入れがし易い。また、第１および第２の分別物収容部２７，２８はそれぞれキャスター２９付きであるから、それらを移動させやすい。
【００２５】
さらに、第１および第２の分別物収容部２７，２８と、横板３２と、フレーム１の支柱２をそれぞれ導電性を有する構成とすると共に、支柱２をアース接続していることにより、第１および第２の分別物収容部２７，２８が帯電することを防止することができる。このため、第１、第２の分別物収容部２７，２８から分別物を出す際に分別物が静電気で分別物収容部２７，２８に付着することを防止でき、作業性を向上できる。
【００２６】
本発明は、上記した実施形態にのみ限定されるものではなく、次のように変形または拡張できる。
被分別物１４は、合成樹脂以外のものでも良い。また、送り機構４は、スクリューコンベアに限られず、ベルトコンベアなどでも良い。
送り機構４におけるスクリューコンベヤにおいて、ケーシング５およびスクリュー８の必要な部分に導電性材料を塗布したり、貼り付けたりすることで、導電性を付与する構成とすることもできる。また、横板３２の必要な部分に導電性材料を塗布したり、貼り付けたりすることで、導電性を付与する構成とすることもできる。
【００２７】
風力分別機構部１６において、送出口１５から落下する被分別物１４に対して吹き当てる風の向きは、斜め上向きに限らず、横向き、斜め下向き、或いは下向きとすることもできる。
【図面の簡単な説明】
【００２８】
【図１】本発明の一実施形態を示す縦断正面図
【図２】図３中Ｘ−Ｘ線に沿う縦断右側面図
【図３】正面図
【図４】平面図
【図５】右側面図
【図６】左側面図
【符号の説明】
【００２９】
図面中、１はフレーム、２は支柱（帯電防止手段）、４は送り機構（スクリューコンベヤ）、５はケーシング、８はスクリュー、９はスクリュー用モータ、１３は受入部、１４は被分別物、１５は送出口、１６は風力分別機構部、１７は風力分別室、１８は吸気用ファン、２４はサイクロン集塵機（集塵手段）、２７は第１の分別物収容部、２８は第２の分別物収容部、２９はキャスター、３０は第１の遮蔽部、３１は第２の遮蔽部、３２は横板（帯電防止手段）である。
【図１】
2005074391.tif 000003
【図２】
2005074391.tif 000004
【図３】
2005074391.tif 000005
【図４】
2005074391.tif 000006
【図５】
2005074391.tif 000007
【図６】
2005074391.tif 000008